(57)【要約】【課題】着座時の違和感を生じさせることなく、且つ特段の手間を要することなくシートバック傾斜角度増大時の着座者の尻部から腰部の落ち込みを防止しうる椅子を提供すること【解決手段】座フレーム２２に対して背フレーム２４が回動可能に軸着されたフレーム部２０を有し、背フレーム２４の傾斜角度が変更可能な椅子１０である。椅子１０は、座部下張り４０上の座部上張り５０と、背部下張り４６上の背部上張り５２と、リクライニング形態でテンションがかかるように座部下張り４０と背部下張り４６とを連結する連結布部４８と、を有する。これにより、背フレーム２４の傾斜角度を大きくした椅子のリクライニング形態において、連結布部４８にテンションがかかって座部上張り５０及び背部上張り５２の軸２６近傍が持ち上がり、寝姿勢の着座者の尻部から腰部がしっかり支えられ、尻部から腰部の落ち込みによる不快感や身体負担を低減させることができる。【選択図】図５
2018079053.tif 000002
【特許請求の範囲】
【請求項１】
座フレームに対して背フレームが回動可能に軸着されたフレーム部を有し、前記回動により背フレームの傾斜角度が変更可能な椅子において、
前記座フレーム内に張り渡された座部下張りよりも座面側に設けられた座部上張りと、
前記背フレーム内に張り渡された背部下張りよりも背もたれ面側に設けられた背部上張りと、
前記背フレームを前記傾斜角度が大きくなる方向に回動させた際にテンションがかかるように前記座部下張りと前記背部下張りとを前記軸を跨いで連結する連結布部と、
を有することを特徴とする椅子。
【請求項２】
前記フレーム部を支持する本体部と、
該本体部に設けられ、該本体部が前記フレーム部を支持した状態で前記座フレームに対する前記背フレームの回動動作を軌道づけする座フレーム軌道及び背フレーム軌道と、
を有することを特徴とする請求項１に記載の椅子。
【請求項３】
前記座フレーム軌道は、前後方向に延在して前記座フレームの前後動を軌道づけしており、
該座フレーム軌道の後端部が、後方に移行するにつれて湾曲しつつ下方に落ち込む湾曲部を形成していることを特徴とする請求項２に記載の椅子。
【発明の詳細な説明】
【技術分野】
【０００１】
本発明は、椅子に関し、特に、座フレームと背フレームとが回動可能に軸着されたフレーム部を有し、回動により背フレームの傾斜角度が変更可能な椅子に関する。
【背景技術】
【０００２】
従来、座部と背もたれ部を有する椅子において、背もたれ部の下端部と座部の後端部とを軸により回動可能に連結し、背もたれ部を後方側に倒すことにより寝姿勢を可能とし、背もたれ部を起こすことにより座姿勢を可能とするリクライニング機構つきの椅子が知られている。
【０００３】
このようなリクライニング機構つきの椅子において寝姿勢をとる場合、一般に背もたれ部は座部に対して完全に平行とはならず、椅子の側面視で座部と背もたれ部は鈍角を形成する。すると、当該椅子において寝姿勢をとる場合、腰部がこの鈍角部に落ち込み、長時間の使用は尻部から腰部にかけて不快感や身体的負担をもたらす。
【０００４】
特許文献１には、この尻部から腰部にかけての身体的負担を解消しうる車両用シートが開示されている。具体的には、特許文献１は、シートバックがシートクッションに対し傾動調整可能に連結されている車両用シートにおいて、シートバックの表面下部側に布状部材の一端を固定し、他端をシートクッションの表面側に着脱可能に係止しうる車両用シートを開示する。
【０００５】
特許文献１の車両用シートによれば、シートバックの傾倒角度に応じて布状部材の他端の係止位置を変更することで、尻部から腰部用の連続した保持面を形成することができ、尻部から腰部における集中体圧が緩和され、長時間着座した場合の疲れ度合いが軽減される。
【先行技術文献】
【特許文献】
【０００６】
【特許文献１】実公平０６−０１４６１６号公報
【発明の概要】
【発明が解決しようとする課題】
【０００７】
しかしながら、特許文献１の布状部材を有する車両用シートによれば、シートバック及びシートクッション上に布状部材が取り付けられているので、布状部材自体による着座時の違和感の発生、通気性の悪化が懸念される。また、人がシートに座るときやシートバックの傾倒角度を変えたとき等に布状部材の他端の位置変更をする必要があり、使用時の手間も多いものとなっている。
【０００８】
本発明は、かかる課題に鑑みてなされたものであり、その目的は、着座時の違和感を生じさせることなく、且つ特段の手間を要することなくシートバック傾斜角度増大時の着座者の尻部から腰部の落ち込みを防止しうる椅子を提供することにある。
【課題を解決するための手段】
【０００９】
上記目的を達成するための請求項１に記載の発明は、座フレームに対して背フレームが回動可能に軸着されたフレーム部を有し、前記回動により背フレームの傾斜角度が変更可能な椅子において、前記座フレーム内に張り渡された座部下張りよりも座面側に設けられた座部上張りと、前記背フレーム内に張り渡された背部下張りよりも背もたれ面側に設けられた背部上張りと、前記背フレームを前記傾斜角度が大きくなる方向に回動させた際にテンションがかかるように前記座部下張りと前記背部下張りとを前記軸を跨いで連結する連結布部と、を有することを特徴とする。
【００１０】
この構成によれば、背フレームの傾斜角度を大きくした椅子のリクライニング形態において、連結布部にテンションがかかって座部上張り及び背部上張りの軸近傍が持ち上がり、寝姿勢の着座者の尻部から腰部がしっかり支えられ、尻部から腰部の落ち込みによる不快感や身体負担を低減させることができる。
【００１１】
また、通常の椅子の形態及びリクライニング形態の双方において、尻部から腰部は直接座部上張り及び背部上張りに接しているので、使用感が損なわれることがない。
【００１２】
さらに、座部上張り及び背部上張りの軸近傍の持ち上がりも着座者の荷重移動のみによって実現されるので、特段の手間を要することもない。
【００１３】
請求項２に記載の発明は、請求項１に記載の椅子において、前記フレーム部を支持する本体部と、該本体部に設けられ、該本体部が前記フレーム部を支持した状態で前記座フレームに対する前記背フレームの回動動作を軌道づけする座フレーム軌道及び背フレーム軌道と、を有することを特徴とする。
【００１４】
この構成によれば、着座者の荷重移動に伴って座フレーム及び背フレームがそれぞれ座フレーム軌道及び背フレーム軌道に沿って移動して回動し、通常の椅子の形態からリクライニング形態へと容易に変化する椅子を提供することができる。
【００１５】
また、荷重移動の際に着座者の尻部から腰部が椅子から持ち上がる挙動を示すので、その間に連結布部にテンションがかかり、且つ、座部上張り及び背部上張りの軸近傍が持ち上がることとなる。言い換えると、座フレーム軌道及び背フレーム軌道が連結布部の張架及びそれに続く座部上張り及び背部上張りの軸近傍の持ち上がりを助ける構成となっている。
【００１６】
これにより、座姿勢から寝姿勢へと移行しつつ着座者の尻部から腰部がスムーズに持ち上げられ、姿勢変更時のストレスが少ない椅子となっている。
【００１７】
請求項３に記載の発明は、請求項２に記載の椅子において、前記座フレーム軌道は、前後方向に延在して前記座フレームの前後動を軌道づけしており、該座フレーム軌道の後端部が、後方に移行するにつれて湾曲しつつ下方に落ち込む湾曲部を形成していることを特徴とする。
【００１８】
この構成によれば、荷重移動により通常の椅子の形態からリクライニング形態へと容易に変化するだけでなく、通常の椅子の形態をシンプルな構成で安定化させることが可能となる。
【発明の効果】
【００１９】
本発明によれば、背フレームの傾斜角度を大きくした椅子のリクライニング形態において、連結布部にテンションがかかって座部上張り及び背部上張りの軸近傍が持ち上がり、寝姿勢の着座者の尻部から腰部がしっかり支えられ、尻部から腰部の落ち込みによる不快感や身体負担を低減させることができる。これにより、快適に長時間の寝姿勢を保つことが可能となる。
【００２０】
また、通常の椅子の形態及びリクライニング形態の双方において、尻部から腰部は直接座部上張り及び背部上張りに接しているので、使用感が損なわれることがない。
【００２１】
さらに、座部上張り及び背部上張りの軸近傍の持ち上がりも着座者の荷重移動のみによって実現されるので、特段の手間を要することもなく寝姿勢時の尻部から腰部への身体的負担が軽減されている。
【図面の簡単な説明】
【００２２】
【図１】本発明の実施の形態に係る椅子１０（椅子張り前）の斜視図である。
【図２】本実施の形態に係る椅子１０（椅子張り後）の斜視図である。
【図３】図１のＡ部拡大図である。
【図４】下張りを施したフレーム部２０の斜視図である。
【図５】図４のＶ−Ｖ線断面図である。（Ａ）は通常の椅子の形態を示し、（Ｂ）はリクライニング形態を示す。
【図６】座フレーム軌道及び背フレーム軌道上を移動する座フレーム２２及び背フレーム２４を示す概念図である。（Ａ）は通常の椅子の形態を示し、（Ｂ）はリクライニング形態を示す。
【発明を実施するための形態】
【００２３】
次に、本発明の実施の形態について図に基づいて詳細に説明する。図１は本発明の実施に係る椅子１０（椅子張り前）の斜視図、図２は本実施の形態に係る椅子１０（椅子張り後）の斜視図、図３は図１のＡ部拡大図、図４は下張りを施したフレーム部２０の斜視図、図５は図４のＶ−Ｖ線断面図（図５（Ａ）は通常の椅子の形態及び図５（Ｂ）はリクライニング形態を示す。）、及び図６は座フレーム軌道及び背フレーム軌道上を移動する座フレーム及び背フレームを示す概念図（図６（Ａ）は通常の椅子の形態及び図６（Ｂ）はリクライニング形態を示す。）である。
【００２４】
なお、矢印Ｆは椅子１０の前方向、矢印Ｂは椅子１０の後方向、矢印Ｒは椅子１０の着座者から見て右方向及び矢印Ｌは椅子１０の着座者から見て左方向をそれぞれ示している。
【００２５】
また、図６において、後述する後側フレーム部２２ｃ及び下側フレーム部２４ｃの記載は省略されている。
【００２６】
図１に示すように、椅子１０は、フレーム部２０と、フレーム部２０を支持する本体部３０と、を備える基本的構成を有する。
【００２７】
本体部３０は、略矩形のそれぞれ対向する側板部３２―１及び３２−２と、側板部３２−１，３２−２の後端縁３２−１ａ及び３２−２ａを連結する略矩形の背板部３５と、からなる上面視略コ字状の板材である。
【００２８】
本体部３０は、側板部３２−１，３２−２の前側下端３２−１ｂ及び３２−２ｂにおいて前貫３６によって相互に連結されると共に、側板部３２−１及び３２−２の前側下端３２−１ｂ及び３２−２ｂから下方に延在する棒状の前脚３８ａ，３８ｂと、側板部３２−１及び３２−２の後側下端３２−１ｃ及び３２−２ｃから下方に延在する棒状の後脚３８ｃ，３８ｄを有する。
【００２９】
側板部３２−１及び３２−２の略中央部には、略矩形の大開口部３２−１ｄ及び３２−２ｄがそれぞれ設けられており、側板部３２−１及び３２−２の上縁３２−１ｅ及び３２−２ｅは、肘掛け部を構成している。なお、大開口部３２−１ｄ及び３２−２ｄは、図２に示すように、椅子張り後に側板部３２−１及び３２−２の上張りによって覆われる。
【００３０】
図１、図３及び図６に示すように、側板部３２−１及び３２−２の内側の対向する部位であって、大開口部３２−１ｄ及び３２−２ｄの下側の部位には、前後方向に延在する凹溝３３−１及び３３−２が形成されている。凹溝３３−１及び３３−２は、前後方向に略水平に延在していることが望ましいが、やや前下がりであっても、やや後ろ下がりに延在しているものであってもよい。凹溝３３−１及び３３−２の後端部は、後方に移行するにつれて湾曲しつつ下方に落ち込む湾曲部３３−１ａ及び３３−２ａをそれぞれ形成している。
【００３１】
凹溝３３−１及び３３−２は、後述する座フレーム軌道を形成している。
【００３２】
また、図１、図３及び図６に示すように、側板部３２−１及び３２−２の内側の対向する部位であって、大開口部３２−１ｄ及び３２−２ｄの後方側の部位には、前側から後側に移行するにつれて上方に移行する凹溝３４−１及び３４−２が形成されている。
【００３３】
凹溝３４−１及び３４−２は、後述する背フレーム軌道を形成している。
【００３４】
フレーム部２０は、座フレーム２２に対して背フレーム２４が軸２６を介して回動可能に軸着された構成を有する。
【００３５】
座フレーム２２は、前側フレーム部２２ｂ、後側フレーム部２２ｃ、側方フレーム部２２ｄ−１，２２ｄ−２によって構成された平面視略矩形の枠体である。後側フレーム部２２ｃには後方に突出する２つの突出部２２ｅ（図３参照）がそれぞれ設けられており、突出部２２ｅには軸２６を挿通する挿通孔２２ｆが穿設されている。
【００３６】
背フレーム２４は、上側フレーム部２４ｂ、下側フレーム部２４ｃ、側方フレーム部２４ｄ−１，２４ｄ−２によって構成された平面視略矩形の枠体である。下側フレーム部２４ｃには下方に突出する２つの突出部２４ｅ（図３参照）がそれぞれ設けられており、突出部２４ｅには軸２６を挿通する図示しない挿通孔が穿設されている。
【００３７】
軸２６は断面円形の棒状体であって、２つの突出部２２ｅの挿通孔２２ｆ及び２つの突出部２４ｅの図示しない挿通孔を挿通することで座フレーム２２に対して背フレーム２４を回動可能に軸着しており、この回動により背フレーム２４の傾斜角度が変更可能となっている。
【００３８】
なお、図３及び図４に示すように、軸２６の両端部には、軸受け２６ａ−１，２６ａ−２がそれぞれ取り付けられており、軸受け２６ａ−１及び２６ａ−２がそれぞれ凹溝３３−１及び３３−２に挿入され、凹溝３３−１及び３３−２内をその前後方向に移動可能となっている。すなわち、凹溝３３−１及び３３−２（座フレーム軌道）は、座フレーム２２の前後方向の移動を軌道づけしている。
【００３９】
このとき、座フレーム２２（正確には、椅子張り後の座部６０（図２参照））の前部は前貫３６上を摺動し、座フレーム２２の前後方向の移動をサポートしている。
【００４０】
なお、前貫３６との座部６０の前部との当接面には、金属製のレールバーが取り付けられていてもよく、当該レールバーと当接する前貫３６の部位には樹脂が施されていてもよい。これによれば、着座者の荷重移動に伴う座フレーム２２（正確には、椅子張り後の座部６０）の前後動がよりスムーズなものとなる。
【００４１】
また、背フレーム２４は、軸２６と略平行に延在する断面円形且つ棒状の軸体２８を有し、軸体２８の両端部には、軸受け２８ａ−１，軸受け２８ａ−２がそれぞれ取り付けられている。軸受け２８ａ−１，軸受け２８ａ−２は、それぞれ凹溝３４−１及び３４−２に挿入され、凹溝３４−１及び３４−２（背フレーム軌道）内をその軌道に沿って移動可能となっている。すなわち、軸受け２８ａ−１及び２８ａ−２の凹溝３４−１及び３４−２（背フレーム軌道）内の移動と、軸受け２６ａ−１及び２６ａ−２の凹溝３３−１及び３３−２（座フレーム軌道）内の移動と、によって背フレーム２４の座フレーム２２に対する回動動作が軌道づけされている。フレーム部２０には、図４及び図５に示すように、下張りが施される。
【００４２】
図４及び図５（Ａ）に示すように、座部下張り４０は、座フレーム２２内に収まる大きさの略矩形の布体であって、前縁４０ａが複数のワイヤ４２を介して前側フレーム部２２ｂに固定され、後縁４０ｂが圧縮コイルばね４４を介して後側フレーム部２２ｃに固定され、座フレーム２２内に張り渡されている。なお、任意に、座部下張り４０は、図示しないワイヤを介して側方フレーム部２２ｄ−１，２２ｄ−２に張設固定されていてもよい。
【００４３】
背部下張り４６は、下端に開口部を有する略矩形の封筒形状であって、該開口部に背フレーム２４をその上側フレーム部２４ｂ側から挿入することで背部下張り４６が背フレーム２４を覆うように取り付けられる。なお、背フレーム２４への背部下張り４６の取付け状態において、背フレーム２４の下側フレーム部２４ｃ及びその近傍の側方フレーム部２４ｄ−１，２４ｄ−２は露出している。背部下張り４６は、連結布部４８によって座部下張り４０と連結されている。
【００４４】
図４に示すように、連結布部４８は、略矩形の布体であって、図５に示すように、前縁４８ａが座部下張り４０の後縁４０ｂと縫い合わせられており、軸２６の上側を通過して当該軸２６を跨ぎ、後縁４８ｂが背部下張り４６の下縁４６ｂ近傍と縫い合わせられている。なお、連結布部４８は、通常の椅子の形態において、座部下張り４０の後縁４０ｂと背部下張り４６の下縁４６ｂ近傍間において所定の弛みを有して連結されている。
【００４５】
座部下張り４０の座面側には図示しない充填剤が配置され、また、背部下張り４６の背もたれ面側には図示しない充填剤が固定される。そして、図５に示すように、座部下張り４０の上下の面を覆うように座部上張り５０が施され、かつ、背部下張り４６の前後の面を覆うように背部上張り５２が施され、図２に示すような外観の椅子１０が完成する。
【００４６】
次に、本実施の形態に係る椅子１０の動きについて説明する。
【００４７】
椅子１０は、図６（Ａ）に示すように、通常の椅子の形態、すなわち、着座者が座姿勢をとる形態において、軸２６の軸受け２６ａ−１及び２６ａ−２は、それぞれ、凹溝３３−１及び３３−２（座フレーム軌道）の後端部に位置し、軸体２８の軸受け２８ａ−１及び２８ａ−２は、それぞれ、凹溝３４−１及び３４−２（背フレーム軌道）の上端部に位置する。
【００４８】
このとき、図５（Ａ）に示すように、連結布部４８は座部下張り４０の後縁４０ｂと背部下張り４６の後縁４６ｂ近傍間において弛みを有しているので、着座者は深く椅子１０に深く腰かけることができる。
【００４９】
また、凹溝３３−１及び３３−２（座フレーム軌道）の後端部は後方に移行するにつれて湾曲しつつ下方に落ち込む湾曲部３３−１ａ及び３３−２ａとなっているので、少々の上体に揺れによっても座フレーム２０が前方に移動することは無く、シンプルな構成で安定して通常の椅子の形態を維持し続けることが可能となっている。
【００５０】
次に、椅子１０が、通常の椅子の形態からリクライニング形態になる動きについて説明する。着座者は、寝姿勢を取るために、上体を背もたれ６２（図２参照）に預け、且つ、大腿部で座部６０（図２参照）を前方へ押すように荷重移動を行う。すると、図６（Ｂ）に示すように、軸２６の軸受け２６ａ−１及び２６ａ−２が凹溝３３−１及び３３−２（座フレーム軌道）上をその前端まで移動し、軸体２８の軸受け２８ａ−１及び２８ａ−２は凹溝３４−１及び３４−２（背フレーム軌道）上をその下端まで移動する。
【００５１】
これにより、座フレーム２２に対して背フレーム２４が回動し、背フレーム２４の傾斜角度が大きくなってリクライニング形態となる。
【００５２】
すると、図５（Ｂ）に示すように、背フレーム２４の回動に伴って座部下張り４０の後縁４０ｂ及び背部下張り４６の後縁４６ｂ近傍間の距離が増大し、この距離の増大に引っ張られた連結布部４８にテンションがかかることとなる。
【００５３】
従って、本実施の形態に係る椅子１０によれば、背フレーム２４の傾斜角度を大きくした椅子１０のリクライニング形態において、連結布部４８にテンションがかかって座部上張り５０及び背上張り５２の軸２６近傍が持ち上がり、寝姿勢の着座者の尻部から腰部がしっかり支えられ、尻部から腰部の落ち込みによる不快感や身体負担を低減させることができる。
【００５４】
また、通常の椅子の形態及びリクライニング形態の双方において、図５（Ｂ）に示すように、尻部から腰部は直接座部上張り５０及び背部上張り５２に接することとなるので、先行技術文献に示すように、新たに付加された構成部材（本願発明では、連結布部４８）があるからと言って椅子の使用感が損なわれることもない。
【００５５】
さらに、座部上張り５０及び背部上張り５２の持ち上がりも着座者の荷重移動のみによって実現されるので、特段の手間を有することもない。
【００５６】
そのうえ、着座者の荷重移動に伴って座フレーム２２及び背フレーム２４がそれぞれ凹溝３３−１及び３３−２（座フレーム軌道）及び凹溝３４−１及び３４−２（背フレーム軌道）に沿って移動して回動し、通常の椅子の形態からリクライニング形態へと容易に変化する椅子を提供することができる。
【００５７】
また、荷重移動の際に着座者の尻部から腰部が椅子から浮き上がる挙動を示すので、その間に連結布部４８にテンションがかかり、且つ、座部上張り５０及び背部上張り５２の軸２６近傍が持ち上がることとなる。言い換えると、凹溝３３−１及び３３−２（座フレーム軌道）及び凹溝３４−１及び３４−２（背フレーム軌道）が連結布部４８の張架及びそれに続く座部上張り５０及び背部上張り５２の軸２６近傍の持ち上がりを助ける構成となっている。
【００５８】
これにより、座姿勢から寝姿勢へと移行しつつ着座者の尻部から腰部がスムーズに持ち上げられ、姿勢変更時のストレスが少ない椅子１０となっている。
【００５９】
なお、本発明は上記実施の形態に限定されることはなく、発明の趣旨を逸脱しない範囲で種々変更可能である。
【００６０】
例えば、軸２６及び軸体２８の両端部には軸受けが設けられているが、軸受けが必須であるということではない。軸及び軸体２８の両端部をそのまま凹部に挿入する構成としてもよいし、摺動を滑らかにするためのその他の構成の構成を用いてもよい。
【００６１】
また、座部下張り４０は、ワイヤ４２及び圧縮コイルばね４４を介して座フレーム２２内に張り渡されているが、ワイヤ４２及び圧縮コイルばね４４を介在させることが必須というわけではない。すなわち、直接座部下張り４０を座フレーム２２に張り渡してもよく、公知の下張りに用いる構成を適用することが可能である。背部下張り４６についても同様である。
【符号の説明】
【００６２】
１０  椅子
２０  フレーム部
２２  座フレーム
２４  背フレーム
２６  軸
３０  本体部
３３−１，３３−２  凹溝（座フレーム軌道）
３４−１，３４−２  凹溝（背フレーム軌道）
３３−１ａ，３３−２ａ  湾曲部
４０  座部下張り
４６  背部下張り
４８  連結布部
５０  座部上張り
５２  背部上張り
【図１】
2018079053.tif 000003
【図２】
2018079053.tif 000004
【図３】
2018079053.tif 000005
【図４】
2018079053.tif 000006
【図５】
2018079053.tif 000007
【図６】
2018079053.tif 000008